(57)【要約】【課題】眼幅調整が可能で、使用者に合わせてルーペ本体を交換することができ、眼鏡フレーム以外の装着部材にも装着できるルーペを提供する。【課題の解決手段】ルーペ３７は、眼鏡フレーム２０等の装着部材に着脱可能に取り付けるためのクリップ２１を設ける取付部２２と、この取付部２２に対して上下方向に回動可能に連結し、ルーペ取付用支持体１を保持する保持部２５とを備えた保持体１８と、この保持体１８に保持されたルーペ取付用支持体１の各支持枠２，３にそれぞれ固定機構によって着脱可能に固定した一対のルーぺ本体６，７とからなり、各支持枠２，３は、各ルーペ本体６，７の接眼レンズ筒の取付位置を水平方向に調整しうるように、水平方向に長い空間を有するとともに、少なくとも一面側を、ルーペ本体６，７内の拡大レンズ系の焦点を中心とし、その焦点距離を半径とする円弧を含む曲面に倣って形成する。【選択図】    図６
2005257802.tif 000002
【特許請求の範囲】
【請求項１】
筒体内に拡大レンズ系を有するルーペ本体を着脱可能に取り付けるための支持体であって、左右一対の支持枠を有し、各支持枠は、取り付けるルーペ本体の位置を水平方向に調整しうるように、水平方向に長い空間を有することを特徴とするルーペ取付用支持体。
【請求項２】
筒体内に拡大レンズ系を有するルーペ本体を着脱可能に取り付けるための支持体であって、左右一対の支持枠を有し、各支持枠は、取り付けるルーペ本体の位置を水平方向に調整しうるように、水平方向に長い空間を有するとともに、少なくとも一面側を、前記ルーペ本体内の拡大レンズ系の焦点を中心とし、その焦点距離を半径とする円弧を含む曲面に倣って形成したことを特徴とするルーペ取付用支持体。
【請求項３】
眼鏡フレーム等の使用者の頭部に装着する装着部材に着脱可能に取り付けるための取付機構を設ける取付部を備えるとともに、この取付部に対して上下方向に回動可能に連結し、請求項１又は請求項２に記載のルーペ取付用支持体を保持する保持部とを備えた保持体と、この保持体に保持された前記ルーペ取付用支持体と、筒体内に所定の焦点距離を有する拡大レンズ系を内蔵するとともに、前記ルーペ取付用支持体の各支持枠にそれぞれ固定機構によって着脱可能に固定した一対のルーぺ本体とからなることを特徴とするルーペ。
【発明の詳細な説明】
【技術分野】
【０００１】
本発明は、外科医等が手術の際に使用する医療用ルーペ等の各種ルーペ本体を取り付けるためのルーペ取付用支持体及びこの支持体を用いたルーペに関する。
【背景技術】
【０００２】
従来、医療用等のルーペにおいて、眼鏡を利用してルーペ本体を取り付ける機構としては、第１に、眼鏡フレーム上側に着脱可能に取り付ける、左右両レンズ枠にまたがって伸びる支持部材に、一対のルーペ本体を、前記支持部材に設けたガイド溝に沿って変位可能に吊り下げるように支持するものが知られており、第２に、ルーペ本体を、着用者の眼幅（左右瞳孔間の距離）に合わせ、かつレンズ系の光軸がその焦点上で交叉するように、両眼鏡レンズの所定位置に設けた円形の嵌合穴に挿入し、嵌合穴周囲のレンズに移動不能に固定するものが知られている。
【特許文献１】実開昭５５−５２１２２号公報
【発明の開示】
【発明が解決しようとする課題】
【０００３】
上記従来例によると、第１のものは、支持部材のガイド溝に沿って変位可能なので、使用者の瞳孔位置に一致するように、ルーペ本体の位置を調整する、いわゆる眼幅調整ができるとともに、支持部材ごと交換可能なので、汎用性を有し比較的安価であるという利点があるが、支持部材が重いために長時間装着すると使用者に多大の負担がかかるという問題を有している。
【０００４】
また、第２のものは、重い支持部材は不要であるという利点はあるが、レンズにルーペ本体に適合した嵌合穴を形成するには特別な技術が必要なため、一般の眼鏡店では加工できないほか、ルーペ本体の接眼側を眼鏡レンズに設けた円形の嵌合穴に移動不能に固定するので、ルーペ本体のレンズ系の光軸を使用者にあわせる眼幅調整ができず、使用者が自身の眼幅や視力に合うようにオーダーメードするしかないので、汎用性に乏しく、高価になるという問題があった。
【０００５】
本発明は、上記第１，第２の各従来例の利点は生かす一方、問題点は解消したルーペ取付用支持体及びこの支持体を用いたルーペを提供することを目的とする。
【課題を解決するための手段】
【０００６】
すなわち、本発明に係るルーペ取付用支持体は、筒体内に拡大レンズ系を有するルーペ本体を着脱可能に取り付けるための支持体であって、左右一対の支持枠を有し、各支持枠は、取り付けるルーペ本体の位置を水平方向に調整しうるように、水平方向に長い空間を有するものである。前記各支持枠は、少なくとも一面側を、前記ルーペ本体内の拡大レンズ系の焦点を中心とし、その焦点距離を半径とする円弧を含む曲面に倣って形成すると、より好適である。
【０００７】
また、上述のルーペ取付用支持体を用いたルーペは、眼鏡フレーム等の使用者の頭部に装着する装着部材に着脱可能に取り付けるための取付機構を設ける取付部を備えるとともに、この取付部に対して上下方向に回動可能に連結し、上述した構成のルーペ取付用支持体を保持する保持部とを備えた保持体と、この保持体に保持された前記ルーペ取付用支持体と、筒体内に所定の焦点距離を有する拡大レンズ系を内蔵するとともに、前記ルーペ取付用支持体の各支持枠にそれぞれ固定機構によって着脱可能に固定した一対のルーぺ本体とからなるものである。
【発明の効果】
【０００８】
本発明のルーペ取付用支持体によれば、軽量で製造が容易であり、かつ、安価で、汎用性を有するという効果を奏する。
【０００９】
また、本発明のルーペ取付用支持体を用いたルーペによれば、従来に比較して軽量なので長時間装着しても使用者に負担がかからず、また、ルーペ本体を各支持枠内で水平方向に移動させて眼幅調整が可能となるので、使用者に合わせてルーペ本体を交換することができるほか、眼鏡フレーム以外の装着部材にも装着することができるという効果を奏する。
【発明を実施するための最良の形態】
【００１０】
以下、本発明の好適な実施形態を添付図面の図１〜図６に基づいて詳細に説明する。ここにおいて、図１はルーペ取付用支持体の正面図、図２はルーペの斜視図、図３は保持体の中央部で破断したルーペの縦断面図、図４はルーペ本体をルーペ取付用支持体に取り付けた状態における要部の拡大部分断面図、図５はルーペ本体と内蔵した拡大レンズ系の焦点との関係を示す概略的な平面図、図６は眼鏡フレームへの取付状態を示す正面図である。
【００１１】
はじめに、ルーペ取付用支持体について説明する。図１に示すように、ルーペ取付用支持体１は、左右一対の支持枠２，３を連結板４で一体的に連結してなる。前記一対の支持枠２，３は、後述するルーペ本体の接眼レンズ筒がこれら支持枠２，３の内側に沿って水平移動しうる空間を確保するように、水平方向に長い長円形に形成し、正面（図１に示す面で使用者が装着した状態では使用者とは対向しない面）側の上下縁には、同じく後述するスペーサをガイドするガイド縁２ａ，２ｂ、３ａ，３ｂを突設している。また、前記連結板４の中央には固定用のネジ孔５を設けている。
【００１２】
図５で理解できるように、一対の支持枠２，３は、ルーペ本体６，７を後述する固定機構で固定した状態で、両ルーペ本体６，７のそれぞれの光軸Ｌが、それらの焦点Ｆで交叉するように、少なくとも正面側を、前記焦点Ｆを中心とし、その焦点距離を半径とする円弧を含む曲面Ｍに倣った曲面に形成している。
【００１３】
続いて、ルーペ本体６，７と固定機構１１について説明する。ルーペ本体６，７は、同一構成なので、以下ルーペ本体６についてのみ説明する。図４に示すように、ルーペ本体６は、接眼レンズ筒８と対物レンズ筒９とからなり、所定の焦点距離を有する拡大レンズ系を内蔵するもので、前記接眼レンズ筒８と対物レンズ筒９との境界部分には段部１０を形成する。
【００１４】
図４に示すように、固定機構１１は、外側スペーサ１３と、内側スペーサ１４と、固定リング１７とからなる。前記外側スペーサ１３は、接眼レンズ筒８の対物レンズ筒９側に位置し、ガイド縁２ａ，２ｂにガイドされて水平方向に移動可能であり、一面は段部１０に当接し、他面は支持枠２の正面側に当接するもので、前記支持枠２の透孔部分を遮蔽する板状の柔軟材にルーペ本体６の接眼レンズ筒８が嵌合する嵌合孔を設けてなる。前記内側スペーサ１４は、接眼レンズ筒８の端部側に位置し、一面は支持枠２の背面に当接して、他面は固定リング１７に当接するもので、前記支持枠２の透孔部分を遮蔽する板状の柔軟材にルーペ本体６の接眼レンズ筒８が嵌合する嵌合孔を設けてなる。前記固定リング１７は、接眼レンズ筒８の端部外周に設けた雄螺旋１５に螺合する雌螺旋１６を内周に設け、螺合を深める方向に回転して締めつけることによって、前記外側スペーサ１３の一面を支持枠２の正面に、また内側スペーサ１６の一面を該支持枠２の背面に、それぞれ押し付けるようにして固定するものである。また、前記各固定機構１１の固定リング１７を、螺合を解く方向に回転して各スペーサ１３，１４を介した固定状態を解放し、各接眼レンズ筒８を各支持枠２，３内で水平方向に移動させることによって、使用者の眼幅に合わせるようにルーペ本体６を位置調整することが可能である。
【００１５】
続いて、保持体について説明する。図２、図３及び図６に示すように、保持体１８は、使用者の頭部に装着する装着部材である眼鏡フレーム２０に着脱可能に取り付けるための取付機構たるクリップ２１を設けた取付部２２と、この取付部２２に左右一対の連結アーム２３，２４を介して連結した、ルーペ取付用支持体１を保持する保持部２５とからなる。前記取付部２２と前記保持部２５は、前記各連結アーム２３，２４にそれぞれ支持軸２６，２７によって、回動可能に支持されている。したがって、前記取付部２２及び保持部２５はそれぞれ前記支持軸２６，２７を軸として上下方向に回動可能であり、この回動にともなって、ルーペ取付用支持体１及びルーペ本体６，７は、眼鏡フレーム２０に対して接離方向に変位可能である。
【００１６】
図３に示すように、保持部２５は、背面側の下部中央に透孔３０を設けている。また、前記保持部２５の前記透孔３０を設けた部分には、間隙を形成するように凹入溝２８を設け、図では明らかでないが、前記凹入溝２８の対向間隔は両端部では狭く、中央部に向けて徐々に広くなるように形成され、この凹入溝２８にルーペ取付用支持体１の連結板４が、そのネジ孔５が前記透孔３０と対応するよう挿入され、前記透孔３０からネジ２９を挿入して前記ネジ孔５を貫通するよう締め付けることにより、前記ルーペ取付用支持体１はその連結板４において、前記保持体２５に固定される。
【００１７】
また、保持体２５の取付部２２は、上端両側に一対の突板２２ａ，２２ｂを一体的に設け、ここに支持軸３１を固定し、この支持軸３１にクリップ２１を取り付けている。前記クリップ２１は、互いの接近方向にバネ３４によって弾発付勢された一対のへの字状の挟持部材３２，３３と、これら挟持部材３２，３３を前記バネ３４の弾発付勢力に抗して離反方向に変位するための操作片３５と位置決めロッド３６とを備えている。そして、図６に示すように、前記一対の挟持部材３２，３３で眼鏡フレーム２０のブリッジ近傍のレンズ部分を挟持し、位置決めロッド３６を眼鏡フレーム２０のフレーム上縁に当接して位置決めすることにより、ルーペ３７を前記眼鏡フレーム２０に取り付けるものである。
【００１８】
図４に示すように、各支持枠２（支持枠３は図示せず）は、固定する各ルーペ本体６（ルーペ本体７は図示せず）の光軸Ｌが眼鏡レンズ（図示せず）の光軸Ｎより２０度ほど下を向くように角度調節すると、使用者が作業する手もとを見るのに適したものとなる。この角度調節は、取付部２２及び保持部２５を回動することで行う。
【００１９】
なお、本発明は、上記実施形態になんら限定されるものではなく、例えば、外側スペーサ１３は、接眼レンズ筒８に移動可能に嵌合するほか、接眼レンズ筒８と一体的に構成し、内側スペーサ１４のみが接眼レンズ筒８に対して分離可能に構成することもできる。また、光軸Ｌの光軸Ｎに対する下向き角度は２０度に限らず、ほぼ１５度〜３０度の範囲にある角度であれば好適である。また、眼鏡フレーム２０に換えて、使用者の頭部に装着するヘッドバンドなどの適宜な装着部材を用いることもできる。さらに、固定した各ルーペ本体６，７は、拡大レンズ系の光軸Ｌ及び焦点距離が視認対象部分と完全に一致しなくても、使用者の目の機能で焦点調節されて視認可能であるから、各支持枠２，３を平面状に形成してもよいものである。さらに、柔軟材からなる上記各スペーサ１３，１４に代えて、金属などの硬質材製で、支持枠２，３正面にならった面を有する外側スペーサと、支持枠２，３背面にならった面を有する内側スペーサとを用いることもできる。またさらに、取付機構はクリップ２１に限定されない。
【図面の簡単な説明】
【００２０】
【図１】ルーペ取付用支持体の正面図。
【図２】ルーペの斜視図。
【図３】保持体の中央部で破断したルーペの縦断面図。
【図４】ルーペ本体を取り付けた状態における要部の拡大部分縦断面図。
【図５】ルーペ本体と拡大レンズ系の焦点との関係を示す概略的な平面図。
【図６】眼鏡フレームへの取付状態を示す正面図。
【符号の説明】
【００２１】
Ｌ    光軸
Ｎ    光軸
１    ルーペ取付用支持体
２，３      支持枠
４      連結板
５      ネジ孔
６，７    ルーペ本体
８      接眼レンズ筒
９      対物レンズ筒
１１      固定機構
１３      外側スペーサ
１４      内側スペーサ
１５      雄螺旋
１６      雌螺旋
１７      固定リング
１８      保持体
２０      眼鏡フレーム
２１      クリップ
２２      取付部
２３，２４      連結アーム
２５      保持部
２６，２７      支持軸
２８      凹入溝
３０      透孔
３７      ルーぺ
【図１】
2005257802.tif 000003
【図２】
2005257802.tif 000004
【図３】
2005257802.tif 000005
【図４】
2005257802.tif 000006
【図５】
2005257802.tif 000007
【図６】
2005257802.tif 000008